(57)【要約】【課題】ラックに搭載された伝送装置間を接続する光ファイバコードの配線の容易化及び接続損失の低減が可能な光ファイバコードの収納装置を提供する。【解決手段】容器本体１３と、容器本体１３の内部に回転可能に設けられた巻き付けリール１４と、巻き付けリール１４を回転させる回転レバー１５と、巻き付けリール１４に巻き回されて保持され、一端が容器本体１３から露出して一方の伝送装置２０の基盤２３に直接接続し、他端側が容器本体１３の内部と外部との間を移動できると共に、他方の伝送装置４０のコネクタメス４２と着脱可能に接続するコネクタ１２を他端に有する光ファイバコード１１とを備えて収納装置１０を構成し、容器本体１３を一方の伝送装置２０のケーシング２１の内部に格納すると共に、光ファイバコード１１の他端側を、一方の伝送装置２０のケーシング２１に形成された開口部２２を介して内部と外部との間を移動できるようにした。【選択図】        図３
2004354545.tif 000002
【特許請求の範囲】
【請求項１】
ラックに搭載された一方と他方との伝送装置間を接続する光ファイバコードの収納装置であって、
容器本体と、
前記容器本体の内部に回転可能に設けられた巻き付けリールと、
前記巻き付けリールに巻き回されて保持され、一端が前記容器本体から露出して一方の前記伝送装置の基盤に直接接続し、他端側が前記容器本体の内部と外部との間を移動できると共に、他方の前記伝送装置と着脱可能に接続するコネクタを他端に有する光ファイバコードと
を備えてなることを特徴とする光ファイバコードの収納装置。
【請求項２】
請求項１において、
前記巻き付けリールを回転させる回転手段を備えている
ことを特徴とする光ファイバコードの収納装置。
【請求項３】
請求項１又は請求項２において、
前記巻き付けリールが、前記光ファイバコードの最小曲げ曲率以上の曲率を有している
ことを特徴とする光ファイバコードの収納装置。
【請求項４】
請求項１から請求項３のいずれかにおいて、
前記巻き付けリールの少なくとも前記光ファイバコードとの接触部分が、高摩擦抵抗を有する材料からなる
ことを特徴とする光ファイバコードの収納装置。
【請求項５】
請求項１から請求項４のいずれかにおいて、
前記巻き付けリールを複数有すると共に、
前記巻き付けリールに巻き回されて保持された前記光ファイバコードの色が当該巻き付けリールごとに異なる
ことを特徴とする光ファイバコードの収納装置。
【請求項６】
請求項１から請求項５のいずれかにおいて、
前記容器本体が、一方の前記伝送装置の内部に格納されると共に、
前記光ファイバコードの他端側が、一方の前記伝送装置の内部と外部との間を移動できる
ことを特徴とする光ファイバコードの収納装置。
【発明の詳細な説明】
【０００１】
【発明の属する技術分野】
本発明は、光ファイバコードの収納装置に関し、より詳しくは、光通信分野に利用される光ファイバを媒体としたネットワーク機器で構築する際にラック内での余長となる光ファイバコードの配線の簡素化や装置間のコネクタ接続におけるコネクタ損失を軽減して効率的なネットワーク構築を実現できる光ファイバコードの収納装置に関する。
【０００２】
【従来の技術】
ルータ等の伝送装置を搭載したラック内において、各伝送装置間を光ファイバコードで接続する場合を図５に基づいて説明する。図５は、ラック内における伝送装置間の接続状態の説明図である。
【０００３】
図５に示すように、ラック１３０の外枠１３１の内側には、当該外枠１３１内を上下方向に仕切る棚１３２が複数配設されている。これら棚１３２上には、ルータ等の伝送装置１２０，１４０がそれぞれ設置される。伝送装置１２０，１４０を配設された棚１３２の間に位置する棚１３３には、係合ピン１３３ａが複数立設されている。
【０００４】
このようなラック１３０内に搭載された伝送装置１２０，１４０間を接続する場合には、両端にコネクタ１１２ａ，１１２ｂを取り付けた光ファイバコード１１１の一方の上記コネクタ１１２ａを一方の伝送装置１２０の所定のコネクタメス１２２に差し込み、他方の上記コネクタ１１２ｂを他方の伝送装置１４０の所定のコネクタメス１４２に差し込むと共に、当該光ファイバコード１１１の余剰となった中間部分を前記棚１３３上の前記係合ピン１３３ａに掛け回すことにより、光ファイバコード１１１の余剰長処理を行なっている。
【０００５】
【特許文献１】
特開２００２−９８８４０号公報（請求項１，２、図１，４）
【０００６】
【発明が解決しようとする課題】
前述したようにして伝送装置１２０，１４０間を前記光ファイバコード１１１で接続すると、当該光ファイバコード１１１の余剰部分を前記棚１３３の係合ピン１３３ａに掛け回して処理しなければならないため、配線が輻輳してしまい、作業性に難点があった。
【０００７】
また、余剰長を有する光ファイバコード１１１の両端に設けたコネクタ１１２ａ，１１２ｂを介して伝送装置１２０，１４０間を接続するため、接続に際しての損失が大きく、できるだけ損失を少なくすることが強く望まれている。
【０００８】
このようなことから、本発明は、ラックに搭載された伝送装置間を接続する光ファイバコードの配線の容易化及び接続損失の低減を図ることができる光ファイバコードの収納装置を提供することを目的とする。
【０００９】
【課題を解決するための手段】
前述した課題を解決するための、第一番目の発明による光ファイバコードの収納装置は、ラックに搭載された一方と他方との伝送装置間を接続する光ファイバコードの収納装置であって、容器本体と、前記容器本体の内部に回転可能に設けられた巻き付けリールと、前記巻き付けリールに巻き回されて保持され、一端が前記容器本体から露出して一方の前記伝送装置の基盤に直接接続し、他端側が前記容器本体の内部と外部との間を移動できると共に、他方の前記伝送装置と着脱可能に接続するコネクタを他端に有する光ファイバコードとを備えてなることを特徴とする。
【００１０】
第二番目の発明による光ファイバコードの収納装置は、第一番目の発明において、前記巻き付けリールを回転させる回転手段を備えていることを特徴とする。
【００１１】
第三番目の発明による光ファイバコードの収納装置は、第一番目又は第二番目の発明において、前記巻き付けリールが、前記光ファイバコードの最小曲げ曲率以上の曲率を有していることを特徴とする。
【００１２】
第四番目の発明による光ファイバコードの収納装置は、第一番目から第三番目の発明のいずれかにおいて、前記巻き付けリールの少なくとも前記光ファイバコードとの接触部分が、高摩擦抵抗を有する材料からなることを特徴とする。
【００１３】
第五番目の発明による光ファイバコードの収納装置は、第一番目から第四番目の発明のいずれかにおいて、前記巻き付けリールを複数有すると共に、前記巻き付けリールに巻き回されて保持された前記光ファイバコードの色が当該巻き付けリールごとに異なることを特徴とする。
【００１４】
第六番目の発明による光ファイバコードの収納装置は、第一番目から第五番目の発明のいずれかにおいて、前記容器本体が、一方の前記伝送装置の内部に格納されると共に、前記光ファイバコードの他端側が、一方の前記伝送装置の内部と外部との間を移動できることを特徴とする。
【００１５】
【発明の実施の形態】
本発明に係る光ファイバコードの収納装置の実施の形態を図１〜４を用いて説明する。図１は、収納装置の概略構成図、図２は、図１の要部の構造説明図、図３は、図１の収納装置を内蔵した伝送装置の概略構造図、図４は、ラック内における図３の伝送装置の接続状態の説明図である。
【００１６】
本実施の形態に係る光ファイバコードの収納装置は、図１〜４に示すように、ラック３０に搭載された一方と他方とのルータ等の伝送装置２０，４０間を接続する光ファイバコード１１の収納装置１０であって、容器本体１３と、容器本体１３の内部に回転可能に設けられた巻き付けリール１４と、巻き付けリール１４を回転させる回転手段である回転レバー１５と、巻き付けリール１４に巻き回されて保持され、一端が容器本体１３から露出して一方の伝送装置２０の基盤２３に直接接続し、他端側が容器本体１３の内部と外部との間を移動できると共に、他方の伝送装置４０のコネクタメス４２と着脱可能に接続するコネクタ１２を他端に有する光ファイバコード１１とを備えている。
【００１７】
なお、巻き付けリール１４は、図２に示すように、楕円形状をなすと共に、光ファイバコード１１の最小曲げ曲率以上の曲率（使用する光ファイバコード１１の種類によって異なる）を有し、少なくとも光ファイバコード１１との接触部分がゴム等のような高摩擦抵抗を有する材料からなっている。
【００１８】
また、上記収納装置１０は、図１に示すように、巻き付けリール１４を複数有すると共に、巻き付けリール１４に巻き回されて保持された光ファイバコード１１の色が当該巻き付けリール１４ごとに異なっている。
【００１９】
このような収納装置１０は、図３に示すように、容器本体１３が、一方の前記伝送装置２０のケーシング２１の内部に格納されると共に、光ファイバコード１１の他端側が、一方の伝送装置２０のケーシング２１に形成された開口部２２を介して内部と外部との間を移動できるようになっている。
【００２０】
このように上記収納装置１０を内蔵した一方の上記伝送装置２０においては、図４に示すように、ラック３０の外枠３１内の棚３２に搭載し、当該伝送装置２０のケーシング２１の開口部２２から光ファイバコード１１のコネクタ１２を引っ張ることにより、前記収納装置１０の容器本体１１内の巻き付けリール１４に巻き付けられている光ファイバコード１１の他端側が引き出され、上記コネクタ１２を他方の伝送装置４０のコネクタメス４２に接続することができる。
【００２１】
このとき、一方の伝送装置２０から光ファイバコード１１を引き出し過ぎた場合には、前記回転レバー１５を介して巻き付けリール１４を回転させることにより、当該光ファイバコード１１を当該巻き付けリール１４に巻き取って容器本体１３の内部に収納することができ、当該光ファイバコード１１の余剰長を処理することができる。
【００２２】
したがって、本実施の形態によれば、光ファイバコード１１の余剰長処理を容器本体１３の内部で行なうことができると共に、光ファイバコード１１の一端をコネクタ等を介さずに一方の伝送装置２０の基盤２３に直接接続するようにしたので、ラック３０に搭載された伝送装置２０，４０間を接続する光ファイバコード１１の配線の容易化及び接続損失の低減を図ることができる。
【００２３】
また、巻き付けリール１４が、楕円形状をなすと共に、光ファイバコード１１の最小曲げ曲率以上の曲率を有しているので、光ファイバコード１１の曲げによる損失を抑制することができる。
【００２４】
また、巻き付けリール１４の少なくとも光ファイバコード１１との接触部分がゴム等のような高摩擦抵抗を有する材料からなっているので、巻き付けリール１４に対して光ファイバコード１１が滑りを生じてしまうこと抑制することができ、光ファイバコードの巻き取りや送り出しを確実に行うことができる。
【００２５】
また、巻き付けリール１４に巻き回されて保持された光ファイバコード１１の色が当該巻き付けリール１４ごとに異なっているので、前記伝送装置４０との間での当該光ファイバコード１１の誤挿抜を防止することが容易にでき、作業の安全性の向上を図ることが容易にできる。
【００２６】
【発明の効果】
本発明の光ファイバコードの収納装置によれば、ラックに搭載された伝送装置間を接続する光ファイバコードの配線の容易化及び接続損失の低減を図ることができる。
【図面の簡単な説明】
【図１】本発明に係る光ファイバコードの収納装置の実施の形態の概略構成図である。
【図２】図１の要部の構造説明図である。
【図３】図１の収納装置を内蔵した伝送装置の概略構造図である。
【図４】ラック内における図３の伝送装置の接続状態の説明図である。
【図５】ラック内における伝送装置間の従来の接続状態の説明図である。
【符号の説明】
１０  収納装置
１１  光ファイバコード
１２  コネクタ
１３  容器本体
１４  巻き付けリール
１５  回転レバー
２０  伝送装置
２１  ケーシング
２２  開口部
２３  基盤
３０  ラック
３１  外枠
３２  棚
４０  伝送装置
４２  コネクタメス
【図１】
2004354545.tif 000003
【図２】
2004354545.tif 000004
【図３】
2004354545.tif 000005
【図４】
2004354545.tif 000006
【図５】
2004354545.tif 000007